【手続補正書】
【提出日】平成27年4月22日(2015.4.22)
【手続補正１】
【補正対象書類名】明細書
【補正対象項目名】発明の名称
【補正方法】変更
【補正の内容】
【発明の名称】表示制御装置、印刷装置、制御方法、及びプログラム
【手続補正２】
【補正対象書類名】明細書
【補正対象項目名】００１０
【補正方法】変更
【補正の内容】
【００１０】
本発明の目的は、ユーザが、記録媒体の両面に印字された状態を確認することを容易に行うことが可能な表示制御装置、印刷装置、制御方法、及びプログラムを提供することである。
【手続補正３】
【補正対象書類名】明細書
【補正対象項目名】００１１
【補正方法】変更
【補正の内容】
【００１１】
上記課題を解決するための第１の発明は、記録媒体の両面に印字された状態を示す印字イメージを表示部へ表示する表示制御装置であって、前記表示部に表示された印字イメージに対してスクロール操作の入力を受付ける第一の操作入力受付手段と、前記表示部に表示された印字イメージに対して、前記スクロール操作と異なるページをめくる操作の入力を受付ける第二の操作入力受付手段と、前記第一の操作入力受付手段によって入力を受付けたスクロール操作に従って、前記記録媒体の一方の面の各ページの印字イメージを連続して前記表示部へ表示し、一方、前記第二の操作入力受付手段によって入力を受付けたページをめくる操作に従って、前記表示部に表示された印字イメージに対して当該入力を受付けたページに対応する裏面のページの印字イメージを前記記録媒体の他方の面として連続して前記表示部へ表示する表示手段と、を備えたことを特徴とする。
【手続補正４】
【補正対象書類名】明細書
【補正対象項目名】００１２
【補正方法】変更
【補正の内容】
【００１２】
上記課題を解決するための第２の発明は、記録媒体の両面に印字された状態を示す印字イメージを表示部へ表示する印刷装置であって、前記表示部に表示された印字イメージに対してスクロール操作の入力を受付ける第一の操作入力受付手段と、前記表示部に表示された印字イメージに対して、前記スクロール操作と異なるページをめくる操作の入力を受付ける第二の操作入力受付手段と、前記第一の操作入力受付手段によって入力を受付けたスクロール操作に従って、前記記録媒体の一方の面の各ページの印字イメージを連続して前記表示部へ表示し、一方、前記第二の操作入力受付手段によって入力を受付けたページをめくる操作に従って、前記表示部に表示された印字イメージに対して当該入力を受付けたページに対応する裏面のページの印字イメージを前記記録媒体の他方の面として連続して前記表示部へ表示する表示手段と、を備えたことを特徴とする。
【手続補正５】
【補正対象書類名】明細書
【補正対象項目名】００１３
【補正方法】変更
【補正の内容】
【００１３】
上記課題を解決するための第３の発明は、記録媒体の両面に印字された状態を示す印字イメージを表示部へ表示する表示制御装置の制御方法であって、前記表示制御装置は、前記表示部に表示された印字イメージに対してスクロール操作の入力を受付ける第一の操作入力受付ステップと、前記表示部に表示された印字イメージに対して、前記スクロール操作と異なるページをめくる操作の入力を受付ける第二の操作入力受付ステップと、前記第一の操作入力受付ステップによって入力を受付けたスクロール操作に従って、前記記録媒体の一方の面の各ページの印字イメージを連続して前記表示部へ表示し、一方、前記第二の操作入力受付ステップによって入力を受付けたページをめくる操作に従って、前記表示部に表示された印字イメージに対して当該入力を受付けたページに対応する裏面のページの印字イメージを前記記録媒体の他方の面として連続して前記表示部へ表示する表示ステップと、を実行することを特徴とする。
【手続補正６】
【補正対象書類名】明細書
【補正対象項目名】００１４
【補正方法】変更
【補正の内容】
【００１４】
上記課題を解決するための第４の発明は、記録媒体の両面に印字された状態を示す印字イメージを表示部へ表示する表示制御装置において読取実行可能なプログラムであって、前記表示制御装置を、前記表示部に表示された印字イメージに対してスクロール操作の入力を受付ける第一の操作入力受付手段と、前記表示部に表示された印字イメージに対して、前記スクロール操作と異なるページをめくる操作の入力を受付ける第二の操作入力受付手段と、前記第一の操作入力受付手段によって入力を受付けたスクロール操作に従って、前記記録媒体の一方の面の各ページの印字イメージを連続して前記表示部へ表示し、一方、前記第二の操作入力受付手段によって入力を受付けたページをめくる操作に従って、前記表示部に表示された印字イメージに対して当該入力を受付けたページに対応する裏面のページの印字イメージを前記記録媒体の他方の面として連続して前記表示部へ表示する表示手段と、して機能させることを特徴とする。
【手続補正７】
【補正対象書類名】明細書
【補正対象項目名】００１５
【補正方法】変更
【補正の内容】
【００１５】
上記課題を解決するための第５の発明は、記録媒体の両面に印字された状態を示す印字イメージを表示部へ表示する印刷装置の制御方法であって、前記印刷装置は、前記表示部に表示された印字イメージに対してスクロール操作の入力を受付ける第一の操作入力受付ステップと、前記表示部に表示された印字イメージに対して、前記スクロール操作と異なるページをめくる操作の入力を受付ける第二の操作入力受付ステップと、前記第一の操作入力受付ステップによって入力を受付けたスクロール操作に従って、前記記録媒体の一方の面の各ページの印字イメージを連続して前記表示部へ表示し、一方、前記第二の操作入力受付ステップによって入力を受付けたページをめくる操作に従って、前記表示部に表示された印字イメージに対して当該入力を受付けたページに対応する裏面のページの印字イメージを前記記録媒体の他方の面として連続して前記表示部へ表示する表示ステップと、を実行することを特徴とする。
【手続補正８】
【補正対象書類名】明細書
【補正対象項目名】００１６
【補正方法】変更
【補正の内容】
【００１６】
上記課題を解決するための第６の発明は、記録媒体の両面に印字された状態を示す印字イメージを表示部へ表示する印刷装置において読取実行可能なプログラムであって、前記印刷装置を、前記表示部に表示された印字イメージに対してスクロール操作の入力を受付ける第一の操作入力受付手段と、前記表示部に表示された印字イメージに対して、前記スクロール操作と異なるページをめくる操作の入力を受付ける第二の操作入力受付手段と、
前記第一の操作入力受付手段によって入力を受付けたスクロール操作に従って、前記記録媒体の一方の面の各ページの印字イメージを連続して前記表示部へ表示し、一方、前記第二の操作入力受付手段によって入力を受付けたページをめくる操作に従って、前記表示部に表示された印字イメージに対して当該入力を受付けたページに対応する裏面のページの印字イメージを前記記録媒体の他方の面として連続して前記表示部へ表示する表示手段と、して機能させることを特徴とする。
【手続補正９】
【補正対象書類名】特許請求の範囲
【補正対象項目名】全文
【補正方法】変更
【補正の内容】
【特許請求の範囲】
【請求項１】
記録媒体の両面に印字された状態を示す印字イメージを表示部へ表示する表示制御装置であって、
前記表示部に表示された印字イメージに対してスクロール操作の入力を受付ける第一の操作入力受付手段と、
前記表示部に表示された印字イメージに対して、前記スクロール操作と異なるページをめくる操作の入力を受付ける第二の操作入力受付手段と、
前記第一の操作入力受付手段によって入力を受付けたスクロール操作に従って、前記記録媒体の一方の面の各ページの印字イメージを連続して前記表示部へ表示し、
一方、
前記第二の操作入力受付手段によって入力を受付けたページをめくる操作に従って、前記表示部に表示された印字イメージに対して当該入力を受付けたページに対応する裏面のページの印字イメージを前記記録媒体の他方の面として連続して前記表示部へ表示する表示手段と、
を備えたことを特徴とする表示制御装置。
【請求項２】
前記第二の操作入力受付手段によって入力を受付けためくる操作は、当該めくる操作がなされた前記表示部に対する位置を含み、
前記表示手段は、前記第二の操作入力受付手段によって入力を受付けためくる操作の操作位置の移動に従って、前記表示部に表示された印字イメージに対して当該入力を受付けたページに対応する裏面のページの印字イメージを前記記録媒体の他方の面として連続して前記表示部へ表示することを特徴とする請求項１に記載の表示制御装置。
【請求項３】
前記第二の操作入力受付手段は、少なくとも２以上の操作位置を同時に受付けた後、それぞれの操作位置の距離が所定距離以下となった状態で、前記表示部へ表示されている後ページを表示する操作方向に向かって、前記操作位置が移動する操作を前記めくる操作として入力を受付けることを特徴とする請求項２に記載の表示制御装置。
【請求項４】
前記表示手段は、前記第二の操作入力受付手段によって入力を受付けためくる操作に従って、前記表示部に表示されている記録媒体の一方の面の各ページの印字イメージを表示した状態で、前記表示部に連続して表示された印字イメージに対する裏面の各ページの印字イメージを前記記録媒体の他方の面として連続して前記表示部へ表示することを特徴とする請求項１乃至４の何れか１項に記載の表示制御装置。
【請求項５】
前記表示手段は、当該裏面の各ページに対する印字イメージを連続して表示することなく、前記第二の操作入力受付手段によって入力を受付けた操作がなされたページに対応する裏面のページを前記表示部へ表示することを特徴とする請求項１乃至４の何れか１項に記載の表示制御装置。
【請求項６】
前記記録媒体は、ロール紙であることを特徴とする請求項１乃至５の何れか１項に記載の表示制御装置。
【請求項７】
記録媒体の両面に印字された状態を示す印字イメージを表示部へ表示する印刷装置であって、
前記表示部に表示された印字イメージに対してスクロール操作の入力を受付ける第一の操作入力受付手段と、
前記表示部に表示された印字イメージに対して、前記スクロール操作と異なるページをめくる操作の入力を受付ける第二の操作入力受付手段と、
前記第一の操作入力受付手段によって入力を受付けたスクロール操作に従って、前記記録媒体の一方の面の各ページの印字イメージを連続して前記表示部へ表示し、
一方、
前記第二の操作入力受付手段によって入力を受付けたページをめくる操作に従って、前記表示部に表示された印字イメージに対して当該入力を受付けたページに対応する裏面のページの印字イメージを前記記録媒体の他方の面として連続して前記表示部へ表示する表示手段と、
を備えたことを特徴とする印刷装置。
【請求項８】
記録媒体の両面に印字された状態を示す印字イメージを表示部へ表示する表示制御装置の制御方法であって、
前記表示制御装置は、
前記表示部に表示された印字イメージに対してスクロール操作の入力を受付ける第一の操作入力受付ステップと、
前記表示部に表示された印字イメージに対して、前記スクロール操作と異なるページをめくる操作の入力を受付ける第二の操作入力受付ステップと、
前記第一の操作入力受付ステップによって入力を受付けたスクロール操作に従って、前記記録媒体の一方の面の各ページの印字イメージを連続して前記表示部へ表示し、
一方、
前記第二の操作入力受付ステップによって入力を受付けたページをめくる操作に従って、前記表示部に表示された印字イメージに対して当該入力を受付けたページに対応する裏面のページの印字イメージを前記記録媒体の他方の面として連続して前記表示部へ表示する表示ステップと、
を実行することを特徴とする表示制御装置の制御方法。
【請求項９】
記録媒体の両面に印字された状態を示す印字イメージを表示部へ表示する表示制御装置において読取実行可能なプログラムであって、
前記表示制御装置を、
前記表示部に表示された印字イメージに対してスクロール操作の入力を受付ける第一の操作入力受付手段と、
前記表示部に表示された印字イメージに対して、前記スクロール操作と異なるページをめくる操作の入力を受付ける第二の操作入力受付手段と、
前記第一の操作入力受付手段によって入力を受付けたスクロール操作に従って、前記記録媒体の一方の面の各ページの印字イメージを連続して前記表示部へ表示し、
一方、
前記第二の操作入力受付手段によって入力を受付けたページをめくる操作に従って、前記表示部に表示された印字イメージに対して当該入力を受付けたページに対応する裏面のページの印字イメージを前記記録媒体の他方の面として連続して前記表示部へ表示する表示手段と、
して機能させることを特徴とするプログラム。
【請求項１０】
記録媒体の両面に印字された状態を示す印字イメージを表示部へ表示する印刷装置の制御方法であって、
前記印刷装置は、
前記表示部に表示された印字イメージに対してスクロール操作の入力を受付ける第一の操作入力受付ステップと、
前記表示部に表示された印字イメージに対して、前記スクロール操作と異なるページをめくる操作の入力を受付ける第二の操作入力受付ステップと、
前記第一の操作入力受付ステップによって入力を受付けたスクロール操作に従って、前記記録媒体の一方の面の各ページの印字イメージを連続して前記表示部へ表示し、
一方、
前記第二の操作入力受付ステップによって入力を受付けたページをめくる操作に従って、前記表示部に表示された印字イメージに対して当該入力を受付けたページに対応する裏面のページの印字イメージを前記記録媒体の他方の面として連続して前記表示部へ表示する表示ステップと、
を実行することを特徴とする印刷装置の制御方法。
【請求項１１】
記録媒体の両面に印字された状態を示す印字イメージを表示部へ表示する印刷装置において読取実行可能なプログラムであって、
前記印刷装置を、
前記表示部に表示された印字イメージに対してスクロール操作の入力を受付ける第一の操作入力受付手段と、
前記表示部に表示された印字イメージに対して、前記スクロール操作と異なるページをめくる操作の入力を受付ける第二の操作入力受付手段と、
前記第一の操作入力受付手段によって入力を受付けたスクロール操作に従って、前記記録媒体の一方の面の各ページの印字イメージを連続して前記表示部へ表示し、
一方、
前記第二の操作入力受付手段によって入力を受付けたページをめくる操作に従って、前記表示部に表示された印字イメージに対して当該入力を受付けたページに対応する裏面のページの印字イメージを前記記録媒体の他方の面として連続して前記表示部へ表示する表示手段と、
して機能させることを特徴とするプログラム。